(57)【要約】【課題】ユーザが観察しやすい蛍光像を生成する。【解決手段】この画像処理装置は、蛍光色素により染色された試料に励起光をあてて蛍光をカラー撮像素子により撮像する撮像ユニットより像信号を入力するインタフェース部と、カラー撮像素子のカラーフィルター分光特性をもとに予め求められた、像信号における励起光の波長領域に対応する第１の色の成分に対する他の第２の色の成分および第３の色の成分の各々の割合の情報を保持し、入力された像信号から、第２の色の成分の割合相当分および第３の色の成分の割合相当分を各々削減する色補正回路とを具備する。【選択図】図８
2015099104.tif 000002
【特許請求の範囲】
【請求項１】
蛍光色素により染色された試料に励起光をあてて蛍光をカラー撮像素子により撮像する撮像装置より像信号を入力するインタフェース部と、
前記カラー撮像素子のカラーフィルター分光特性をもとに予め求められた、前記像信号における前記励起光に対応する第１の色の成分に対する他の第２の色の成分および第３の色の成分の各々の割合の情報を保持し、前記入力された像信号から、前記第２の色の成分の割合相当分および前記第３の色の成分の割合相当分を各々削減する色補正回路と
を具備する画像処理装置。
【請求項２】
請求項１に記載の画像処理装置であって、
前記色補正回路は、前記入力された像信号から、前記第１の色の成分を削減するように構成される
画像処理装置。
【請求項３】
請求項２に記載の画像処理装置であって、
前記色補正回路は、リニアマトリクス変換回路である
画像処理装置。
【請求項４】
請求項３に記載の画像処理装置であって、
前記色補正回路の前段で、前記入力された像信号から、前記第２の色の成分および前記第３の色の成分のうちいずれか一方を低減するホワイトバランス調整回路をさらに具備する
画像処理装置。
【請求項５】
請求項４に記載の画像処理装置であって、
前記蛍光色素がフルオレセインである
画像処理装置。
【請求項６】
蛍光色素により染色された試料に励起光をあてて蛍光を撮像するカラー撮像素子のカラーフィルター分光特性をもとに、前記カラー撮像素子の像信号における前記励起光に対応する第１の色の成分に対する他の第２の色の成分および第３の色の成分の各々の割合を求め、
前記カラー撮像素子より入力された像信号から、前記第２の色の成分の割合相当分および前記第３の色の成分の割合相当分を各々削減する
画像処理方法。
【発明の詳細な説明】
【技術分野】
【０００１】
本技術は、撮像装置により撮影された蛍光像を処理する画像処理装置および画像処理方法に関する。
【背景技術】
【０００２】
蛍光顕微鏡の観察像を撮像素子で捕え、電子的な画像データとして取得する画像処理装置は、例えば、医学、生物学の研究ならびに検査などの場で利用されている。
【０００３】
蛍光顕微鏡の観察像は微弱な蛍光による像であることから、蛍光染色された細胞部分の像と細胞が存在しない背景部分の像とのコントラスト（視覚的な差異）が得られにくい。
【０００４】
そこで、特許文献１では、観察画像から、ユーザによりマニュアルで指定された背景部分の輝度を差し引いて背景部分をさらに黒くすることによって、細胞部分の像と背景部分の像とのコントラストを上げるブラックバランス補正の技術について記載されている。
【０００５】
さらに、特許文献２には、ホワイトバランス補正やブラックバランス補正を、ユーザによる背景部分のマニュアル指定を受けることなく自動的に行うための技術が開示されている。
【先行技術文献】
【特許文献】
【０００６】
【特許文献１】特開２００４−８６０３１号公報
【特許文献２】特開２０１０−９８７１９号公報
【発明の概要】
【発明が解決しようとする課題】
【０００７】
蛍光顕微鏡などの撮像装置によって得られる蛍光像を処理して観察用の画像を生成する画像処理装置の分野においては、ユーザにとって観察しやすい蛍光像を生成するための技術が今後益々重要となってきており、その対応が求められている。
【０００８】
以上のような事情に鑑み、本技術の目的は、ユーザが観察しやすい蛍光像を生成することのできる画像処理装置および画像処理方法を提供することにある。
【課題を解決するための手段】
【０００９】
上記の課題を解決するために、本技術に係る一の形態の画像処理装置は、
蛍光色素により染色された試料に励起光をあてて蛍光をカラー撮像素子により撮像する撮像装置より像信号を入力するインタフェース部と、
前記カラー撮像素子のカラーフィルター分光特性をもとに予め求められた、前記像信号における前記励起光の波長領域に対応する第１の色の成分に対する他の第２の色の成分および第３の色の成分の各々の割合の情報を保持し、前記入力された像信号から、前記第２の色の成分の割合相当分および前記第３の色の成分の割合相当分を各々削減する色補正回路と
を具備する。
【００１０】
前記色補正回路は、前記入力された像信号から、さらに前記第１の色の成分を削減するように構成されたものであってよい。
【００１１】
前記色補正回路は、リニアマトリクス変換回路であってよい。
【００１２】
本技術に係る画像処理装置は、前記色補正回路の前段で、前記入力された像信号から、前記第２の色の成分および前記第３の色の成分のうちいずれか一方を低減するホワイトバランス調整回路をさらに具備するものであってよい。
【００１３】
前記蛍光色素は、フルオレセインとすることができる。
【００１４】
本技術に係る他の形態である画像処理方法は、蛍光色素により染色された試料に励起光をあてて蛍光を撮像するカラー撮像素子のカラーフィルター分光特性をもとに、前記カラー撮像素子の像信号における前記励起光の波長領域に対応する第１の色の成分に対する他の第２の色の成分および第３の色の成分の各々の割合を求め、前記カラー撮像素子より入力された像信号から、前記第２の色の成分の割合相当分および前記第３の色の成分の割合相当分を各々削減する、というものである。
【発明の効果】
【００１５】
以上のように、本技術によれば、ユーザが観察しやすい蛍光像を生成することができる。
【図面の簡単な説明】
【００１６】
【図１】本技術に係る第１の実施形態の蛍光観察システム１の構成を示す図である。
【図２】フルオレセインの蛍光特性を示す図である。
【図３】コバルトフィルターの分光特性と、このコバルトフィルターを透過して試料１７に照射される光の成分を示す図である。
【図４】フルオレセインによって染色されていない試料１７に約350nmから約510nmまでのＢの波長領域の光が照射されたとき、試料１７から発する光の成分を示す図である。
【図５】フルオレセインによって染色された試料１７に、約350nmから約510nmまでのＢの波長領域の光が照射されたとき試料１７から発する光の成分を示す図である。
【図６】ＣＭＯＳイメージセンサー１６のカラーフィルター分光特性を示す図である。
【図７】色成分の補正の結果を示す図である。
【図８】図１における画像処理ユニット２０の構成を示す図である。
【図９Ａ】リニアマトリクス変換係数の設定例を示す図である。
【図９Ｂ】リニアマトリクス変換係数の別の設定例を示す図である。
【図９Ｃ】リニアマトリクス変換係数のさらに別の設定例を示す図である。
【発明を実施するための形態】
【００１７】
以下、本技術に係る実施形態を、図面を参照しながら説明する。
＜第１の実施形態＞
図１は、本技術に係る第１の実施形態の蛍光観察システム１の構成を示す図である。
この蛍光観察システム１は、撮像ユニット１０と画像処理ユニット２０とを有する。撮像ユニット１０と画像処理ユニット２０とは画像伝送路３０を通じて接続される。
【００１８】
［撮像ユニット１０］
撮像ユニット１０は、光源１１と、励起フィルター１２と、対物レンズ１３と、
ビームスプリッター１４と、接眼レンズ１５と、ＣＭＯＳイメージセンサー１６などで構成される。
【００１９】
光源１１は、ハロゲンランプ、キセノンランプなど、可視光の波長域を含む白色光を出射する。
【００２０】
励起フィルター１２は、試料１７の蛍光体を励起する波長の光を透過させる光学フィルターである。励起フィルター１２を透過した光（励起光）は試料１７に照射される。
【００２１】
試料１７は、蛍光色素によって染色された生体組織片または細胞群などである。ここでは、蛍光色素としてフルオレセインを用いた場合を想定する。フルオレセインは、図２に示すように、中心波長が490nmの青色波長の光を当てると、中心波長が520nmの緑色を発光する蛍光色素である。
【００２２】
図３は励起フィルター１２として主に青（Ｂ）の波長領域を透過するコバルトフィルターの分光特性と、このコバルトフィルターを透過して試料１７に照射される光の成分を示す図である。このようにコバルトフィルターは、約350nmから約510nmまでのＢの波長領域の光を透過させる光学フィルターである。ここで、Ｂは特許請求の範囲の「第１の色」に相当する。ＧとＲは特許請求の範囲の「第２の色」、「第３の色」に相当する。
【００２３】
対物レンズ１３は、試料１７から発する光を入射する。対物レンズ１３と接眼レンズ１５との間の光路にはビームスプリッター１４が配置されている。すなわち、対物レンズ１３からの光は接眼レンズ１５に向かう光とＣＭＯＳイメージセンサー１６に向かう光に分配される。これにより、接眼レンズ１５を通して観察者が見る観察像と同じ像がＣＭＯＳイメージセンサー１６で撮像することができる。
【００２４】
なお、図示は省略したが、ＣＭＯＳイメージセンサー１６の前段にはＩＲカットフィルターが配置されている。ＩＲカットフィルターは、赤（Ｒ）の波長領域である例えば680nm以上の波長成分を除去するための光学フィルターである。
【００２５】
ＣＭＯＳ（Complementary MOS）イメージセンサー１６は、ＩＲカットフィルターを透過した光を光学フィルターにより選択されるＲ、Ｇ、Ｂ毎に受けて電気信号を生成し、デジタル化してＲａｗデータを生成する。生成されたＲａｗデータは画像伝送路３０を通じて画像処理ユニット２０に伝送される。
【００２６】
［蛍光への混色と背景の色成分］
次に、撮像ユニット１０による蛍光像の撮影において生じる、蛍光への混色、および背景の色成分について説明する。
【００２７】
図４は、励起フィルター１２によって制限された約350nmから約510nmまでのＢの波長領域の光がフルオレセインによって染色されていない試料１７に照射されたとき、試料１７から発する光の成分を示す図である。このとき試料１７から発する光は主に反射光である。反射光の成分は試料１７に照射された光の成分（図３）と等しい。このとき撮影された像の色は濃い青色となる。
【００２８】
図５は、フルオレセインによって染色された試料１７に、約350nmから約510nmまでのＢの波長領域の光が照射されたとき試料１７から発する光の成分を示す図である。この場合、フルオレセインによって染色された試料１７にＢの波長領域の光が当たることによって蛍光が発生する。図５において、Ｇ´は、その蛍光によるＧの色成分を示す。
【００２９】
図６は、ＣＭＯＳイメージセンサー１６のカラーフィルター分光特性を示す図である。
このカラーフィルター分光特性から分かるように、ＣＭＯＳイメージセンサー１６のＧ、Ｒの各々の画素は、コバルトフィルターの透過領域である約350nmから約510nmまでのＢの波長領域の光にも反応する。このため、ＣＭＯＳイメージセンサー１６によって検出される信号は、蛍光の成分に、約350nmから約510nmまでのＢの波長領域の反射光に対してＲ、Ｇ、Ｂの各画素が反応した各成分（混色成分）が加わったものとなる。
【００３０】
このように、ＣＭＯＳイメージセンサー１６からは、蛍光に反応して生成されるＧの成と、350nmから約510nmまでのＢの波長領域の反射光に反応して生成されるＲ、Ｇ、Ｂの成分との和が出力される。したがって、真の蛍光像の色が得られないとともに、背景部分が濃い青色となり、背景部分と蛍光像との間で十分な色のコントラストが得られない。本技術は、少なくとも、このような点を改善するものである。
以下に、その詳細を説明する。
【００３１】
約350nmから約510nmまでのＧの波長領域の光に対してＣＭＯＳイメージセンサー１６により検出されるＲ、Ｇ、Ｂの各成分は次のように表される。
【数１】
2015099104.tif 000003
【００３２】
ここで、Ｅは光源１１のエネルギー（定数）、ＨＧ（ｘ）は光源１１のエネルギー分布状態を示す特性（分光分布）、ＣＢ（ｘ）はコバルトフィルターの分光特性、Ｄｂ（ｘ）、Ｄｇ（ｘ）、Ｄｒ（ｘ）は各々ＣＭＯＳイメージセンサー１６のＢ、Ｇ、Ｒのカラーフィルター分光特性、ａ、ｂはコバルトフィルターの透過領域（約350nmから約510nmまでのＧの波長領域）である。
【００３３】
Ｎｇ％は約350nmから約510nmまでのＧの波長領域において、ＣＭＯＳイメージセンサー１６のＧの画素によって検出される成分の、Ｂの画素によって検出される成分に対する割合である。つまり、Ｎｇ％＝Ｇ／Ｂで表される。
【００３４】
Ｎｒ％はコバルトフィルターにより制限された波長領域において、ＣＭＯＳイメージセンサー１６のＲの画素によって検出される成分の、Ｂの画素によって検出される成分に対する割合である。つまり、Ｎｒ％＝Ｒ／Ｂで表される。
【００３５】
前述したように、フルオレセインによって染色された試料１７に約350nmから約510nmまでのＧの波長領域の光が照射されたときにＣＭＯＳイメージセンサー１６によって検出される成分は、蛍光に反応して生成されるＧの成分と、350nmから約510nmまでのＢの波長領域の反射光に反応して生成されるＲ、Ｇ、Ｂの各成分との和である。
【００３６】
したがって、ＣＭＯＳイメージセンサー１６によって検出されたＲ、Ｇ、Ｂの全体の成分からＧ＝Ｂ＊Ｎｇ％、Ｒ＝Ｂ＊Ｎｒ％、およびＢの成分を削除すれば、図７に示すように、蛍光に反応して生成されたＧの色成分Ｇ´のみが残る。
【００３７】
以上のような色成分の調整を行うことで、真の蛍光像のＧの色が得られ、背景部分は色の成分が削除されることによって真の黒に近くなり、背景と蛍光部分との色のコントラストが改善される。
【００３８】
次に、ＣＭＯＳイメージセンサー１６の出力から上記の色成分の調整を行う回路について説明する。
【００３９】
［画像処理ユニット２０の構成］
図８は画像処理ユニット２０の構成を示す図である。
ＣＭＯＳイメージセンサー１６の出力であるＲａｗデータは、センサーＩ／Ｆ２１によって画像処理ユニット２０に取り込まれる。
【００４０】
インタフェース回路２１によって取り込まれたＲａｗデータは、ホワイトバランス調整回路２２に導入される。
【００４１】
ホワイトバランス調整回路２２では、画像のホワイトバランスが調整される。光インタフェース回路（ＯＰ Ｉ／Ｆ）２３は、ホワイトバランス調整回路２２の出力をＥＶ補正回路２４に供給するとともに、色補間と、Ｒ、Ｇ、Ｂの各色信号の生成、さらにはＧ信号からエッジ処理用の輝度信号（Ｙ）の生成などを行い、Ｒ、Ｇ、Ｂの各色信号と輝度信号（Ｙ）は分離回路２５に導入する。ＥＶ補正回路２４は、画像の明るさ調整を行うためにＣＭＯＳイメージセンサー１６の露出調整を行う回路である。
【００４２】
分離回路２５は、Ｒ、Ｇ、Ｂの各色信号を色補正回路２６に導入し、輝度信号（Ｙ）をエッジ処理回路２７に導入する。エッジ処理回路２７では、輝度信号（Ｙ）からのエッジ検出、検出されたエッジ成分の調整などが行われる。
【００４３】
色補正回路２６は、リニアマトリクス変換により上記のＲ、Ｇ、Ｂの色成分の調整を行う回路である。リニアマトリクス変換は、Ｒ、Ｇ、Ｂの各色信号に対して行列演算によって色成分の調整を行う。
【００４４】
色補正回路２６の出力はガンマ補正回路２８に導入され、ここでガンマ補正され、ＹＣ変換回路２９で輝度信号（Ｙ）と色差信号（Ｃ）に変換される。輝度信号（Ｙ）はエッジ処理回路２７より導入されたエッジ成分と加算され、エッジが強調された輝度信号（Ｙ）となる。このエッジが強調された輝度信号（Ｙ）はＹＣ処理回路３１によってノイズ除去などの処理が行われて出力される。一方、色差信号（Ｃ）もＹＣ処理回路３１によってノイズ除去などの処理が行われて出力される。
【００４５】
なお、画像処理ユニット２０は、具体的には、１つのＬＳＩ（Large Scale Integration）、あるいは複数のＬＳＩやＩＣなどで構成される。
【００４６】
［リニアマトリクス変換による色調整］
リニアマトリクス変換に用いられる行列演算式を示す。
【数２】
2015099104.tif 000004
【００４７】
ここで、行列における９個の要素の係数ＲＲ、ＲＧ、ＲＢ、ＧＲ、ＧＧ、ＧＢ、ＢＲ、ＢＧ、ＢＢのうち、ＲＲ、ＧＧ、ＢＢは各々が属する行の３つの係数の値の和が各々"１"となるように自動計算される。したがって、実際に選定されるべき係数はＲＧ、ＲＢ、ＧＲ、ＧＢ、ＢＲ、ＢＧの６つである。
【００４８】
上記の６つの係数を選定するために、ＣＭＯＳイメージセンサー１６のカラーフィルター分光特性から導かれるＲ＝Ｂ＊Ｎｒ％、Ｇ＝Ｂ＊Ｎｇ％、およびＢの成分の値が入力として用いられる。このとき、Ｒ、Ｇ、Ｂの各々の出力が"０"に近くなるように上記各係数が選定される。すなわち、下記の式を満足するように、各係数が選定される。
【数３】
2015099104.tif 000005
【００４９】
実際の運用時には、以上のようにして係数が選定された色補正回路２６を用いて、入力されたＲ、Ｇ、Ｂの各々の成分に対して色調整が行われる。
【００５０】
［具体的な係数の設定例］
図９Ａ、図９Ｂ、図９Ｃに具体的な係数の設定例を示す。
図９Ａは、３つの設定例の中でＲ、Ｇ、Ｂの各々の出力が最も"０"に近い設定例であり、理論的には最適な設定例である。混色の低減、コントラストの改善の効果は期待通りであったが、低輝度環境の場合や、負の係数の値が大きい場合には、ノイズ量が増加する場合がある。
【００５１】
図９Ｂは、ノイズを抑えるためにＧＲ、ＧＧ、ＧＢ、ＢＲ、ＢＢの係数の値を変更した設定例である。この設定では、負の係数の値を小さくしたことで、混色の低減、コントラストの改善の効果は若干落ちたものの、ノイズ量の低減効果を確認することができた。
【００５２】
図９Ｃは、図９Ｂの設定例から、さらに、ＲＲ、ＲＢ、ＧＧ、ＧＢの係数を変更した設定例である。この設定では、負の係数の値をさらに小さくしたことで、混色の低減、コントラストの改善の効果はさらに落ちたものの、ノイズ量の十分な低減効果を確認することができた。
【００５３】
なお、ＲＲ＋ＲＧ＋ＲＢ＝１、ＧＲ＋ＧＧ＋ＧＢ＝１、ＢＲ＋ＢＧ＋ＢＢ＝１の関係から、行列の各行の１つの係数が決まれば、下記の式（６）（７）（８）によりもう一つの係数も決まる。
【００５４】
（１−ＲＧ−ＲＢ）＊Ｎｒ％＋ＲＧ＊Ｎｇ％＋ＲＢ＝０
Ｎｒ％＋（Ｎｇ％−Ｎｒ％）＊ＲＧ＋（１−Ｎｒ％）＊ＲＢ＝０
ＲＧ＝−（（１−Ｎｒ％）＊ＲＢ−Ｎｒ％）/（Ｎｇ％−Ｎｒ％）・・・（６）
Ｎｒ％＊ＧＲ＋Ｎｇ％−Ｎｇ％＊ＧＲ−Ｎｇ％＊ＧＢ＋ＧＢ＝０
（Ｎｒ％−Ｎｇ％）＊ＧＲ＋（１−Ｎｇ％）＊ＧＢ＋Ｎｇ％＝０
ＧＲ＝（（Ｎｇ％−１）＊ＧＢ−Ｎｇ％）/（Ｎｒ％−Ｎｇ％）・・・（７）
Ｎｒ％＊ＢＲ＋Ｎｇ％＊ＢＧ＋１−ＢＲ−ＢＧ）＝０
（Ｎｒ％−１）＊ＢＲ＋（Ｎｇ％−１）＊ＢＧ＋１＝０
ＢＲ＝（−１−（Ｎｇ％−１）＊ＢＧ）/（Ｎｒ％−１）・・・（８）
【００５５】
なお、ここでは、ＲＲ＋ＲＧ＋ＲＢ＝１、ＧＲ＋ＧＧ＋ＧＢ＝１、ＢＲ＋ＢＧ＋ＢＢ＝１という制約がある場合を説明したが、本技術はこれに限らない。この制約がない場合には、より高い自由度で各係数の値を選定できる。
【００５６】
［ホワイトバランス調整回路でのＲ成分の低減］
上記の色補正は、そのすべてを色補正回路２６でのリニアマトリクス変換により行うこととしたが、その一部をホワイトバランス調整回路で行うようにしてもよい。
【００５７】
例えば、ホワイトバランス調整回路２２でＲの成分を極力低減させるようにしてもよい。この場合、色補正回路２６に設定される係数にかかる負担を抑えられるので、ノイズの発生を抑制できる効果がある。すなわち、リニアマトリクス変換において係数が負の大きな値となる場合には計算上のノイズの発生量が大きくなる。ホワイトバランス調整回路２２でＲの成分を削除した信号をリニアマトリクス変換の対象とすることによって、係数が負の大きな値となることを抑え、ノイズの発生量を低減できる。
【００５８】
以上のように、本実施形態の画像処理ユニット２０では、色補正回路２６などが、Ｒ、Ｇ、Ｂの色成分の調整を行うことによって、励起光として用いられるＢの波長領域の反射光に対してＣＭＯＳイメージセンサー１６のＲ、Ｇ、Ｂの各画素が反応した各成分（混色成分）を削除する。これにより、真の蛍光像のＧの色が得られ、背景部分は色の成分が削除されることによって真の黒に近くなり、背景と蛍光部分との色のコントラストが改善される。
【００５９】
また、このように画像処理ユニット２０内の色補正回路２６などによる処理によって混色成分を削除できることによって、撮像ユニット１０内に、Ｂの波長領域の反射光をカットするための吸収フィルターを配置する必要がなくなる。撮像ユニット１０内の吸収フィルターが不要になることで撮像ユニット１０の小型、軽量、低コスト化を実現できる。さらには、現状の撮像装置（スリットランプ）をそのまま利用することができる、という効果もある。
【００６０】
＜変形例１＞
上記の実施形態では、蛍光色素としてフルオレセインを用いた場合を想定した。しかし、本技術は、その他の蛍光色素を採用した場合にも同様に適用できるものである。
【００６１】
＜変形例２＞
上記の実施形態では、色補正回路２６でのリニアマトリクス変換によって、ＣＭＯＳイメージセンサー１６によって検出されたＲ、Ｇ、Ｂの全体の成分からＧ＝Ｂ＊Ｎｇ％、Ｒ＝Ｂ＊Ｎｒ％、およびＢの成分を削除することとした。
【００６２】
その変形としては、色補正回路２６でのリニアマトリクス変換によって、ＣＭＯＳイメージセンサー１６によって検出されたＲ、Ｇ、Ｂの全体の成分からＧ＝Ｂ＊Ｎｇ％、Ｒ＝Ｂ＊Ｎｒ％だけを削除し、Ｂの成分については、色補正回路２６の後段に、Ｂ成分の削除するための回路を設けて、ここで削除するようにしてもよい。
【００６３】
なお、本技術は以下のような構成もとることができる。
（１）蛍光色素により染色された試料に励起光をあてて蛍光をカラー撮像素子により撮像する撮像装置より像信号を入力するインタフェース部と、
前記カラー撮像素子のカラーフィルター分光特性をもとに予め求められた、前記像信号における前記励起光の波長領域に対応する第１の色の成分に対する他の第２の色の成分および第３の色の成分の各々の割合の情報を保持し、前記入力された像信号から、前記第２の色の成分の割合相当分および前記第３の色の成分の割合相当分を各々削減する色補正回路と
を具備する画像処理装置。
【００６４】
（２）前記（１）に記載の画像処理装置であって、
前記色補正回路は、前記入力された像信号から、前記第１の色の成分を削減するように構成される
画像処理装置。
【００６５】
（３）前記（１）または（２）のいずれか１つに記載の画像処理装置であって、
前記色補正回路は、リニアマトリクス変換回路である
画像処理装置。
【００６６】
（４）前記（１）から（３）のいずれか１つに記載の画像処理装置であって、
前記色補正回路の前段で、前記入力された像信号から、前記第２の色の成分および前記第３の色の成分のうちいずれか一方を低減するホワイトバランス調整回路をさらに具備する
画像処理装置。
【００６７】
（５）前記（１）から（４）のいずれか１つに記載の画像処理装置であって、
前記蛍光色素がフルオレセインである
画像処理装置。
【符号の説明】
【００６８】
１…蛍光観察システム
１０…撮像ユニット
１１…光源
１２…励起フィルター
１３…対物レンズ
１４…ビームスプリッター
１５…接眼レンズ
１６…ＣＭＯＳイメージセンサー
１７…試料
２０…画像処理ユニット
２１…インタフェース回路
２２…ホワイトバランス調整回路
２６…色補正回路
【図１】
2015099104.tif 000006
【図２】
2015099104.tif 000007
【図４】
2015099104.tif 000008
【図５】
2015099104.tif 000009
【図６】
2015099104.tif 000010
【図７】
2015099104.tif 000011
【図８】
2015099104.tif 000012
【図９Ａ】
2015099104.tif 000013
【図９Ｂ】
2015099104.tif 000014
【図９Ｃ】
2015099104.tif 000015
【図３】
2015099104.tif 000016